(57)【要約】【課題】必要な情報をより高い確率でサーバに供給することができることを目的とする。【解決手段】端子を有する通信ポートと、一般無線回線通信部と、専用無線回線通信部と、通信ポートを介して取得した医療情報を処理する取得制御部と、取得制御部で処理した医療情報を、一般無線回線通信部または専用無線回線通信部を用いて、サーバに出力する出力制御部と、医療情報の種類を優先順位との関係を記憶した記憶部と、を有し、出力制御部は、専用無線回線通信部を用いて医療情報を出力する場合、医療情報から優先度の高い情報を抽出して出力し、一般無線回線通信部を用いて医療情報を出力する場合、全ての医療情報を出力する。【選択図】図１
2015191377.tif 000002
【特許請求の範囲】
【請求項１】
医療情報を送信する機器と接続する端子を有する通信ポートと、
一般無線回線で通信を行う一般無線回線通信部と、
前記一般無線回線よりも通信速度が遅い専用無線回線で通信を行う専用無線回線通信部と、
前記通信ポートを介して取得した医療情報を処理する取得制御部と、
前記取得制御部で処理した医療情報を、前記一般無線回線通信部または前記専用無線回線通信部を用いて、サーバに出力する出力制御部と、
前記医療情報の種類と優先順位との関係を記憶した記憶部と、を有し、
前記出力制御部は、前記専用無線回線通信部を用いて前記医療情報を出力する場合、前記医療情報から優先度の高い情報を抽出して出力し、
前記一般無線回線通信部を用いて前記医療情報を出力する場合、全ての医療情報を出力することを特徴とする医療情報集約出力装置。
【請求項２】
前記記憶部は、接続される機器と取得する情報のデータ形式との情報と、医療情報の種類毎に設定された標準フォーマットの情報と、を記憶しており、
前記取得制御部は、前記接続される機器に応じて、取得した情報のデータ形式を標準フォーマットに変換することを特徴とする請求項１に記載の医療情報集約出力装置。
【請求項３】
前記取得制御部は、前記通信ポートで機器との接続を検出した場合、接続されている端子の種類に基づいて、接続されている機器の候補を特定し、候補の情報に基づいてプロトコルを設定して接続されている機器との通信の確立を行い、通信が確立されたプロトコルに基づいて接続されている機器を特定し、当該接続されている機器から取得する情報を特定することを特徴とする請求項２に記載の医療情報集約出力装置。
【請求項４】
衛星回線で通信を行う衛星回線通信部をさらに有し、
前記出力制御部は、緊急時であると判定し、前記一般無線回線通信部での通信ができず、かつ、前記衛星回線通信部での通信が可能と判定した場合、前記衛星回線通信部を介して取得した医療情報を出力することを特徴とする請求項１から３のいずれか一項に記載の医療情報集約出力装置。
【請求項５】
緊急時は、災害が発生した場合であることを特徴とする請求項４に記載の医療情報集約出力装置。
【請求項６】
前記医療情報は、生体情報、心電情報及び動画情報を含み、
前記出力制御部は、前記専用無線回線通信部を用いて前記医療情報を出力する場合、前記生体情報及び前記心電情報を出力し、前記動画情報を出力しないことを特徴とする請求項１から５のいずれか一項に記載の医療情報集約出力装置。
【請求項７】
前記医療情報は、静止画情報及び音声情報を含み、
前記出力制御部は、前記専用無線回線通信部を用いて前記医療情報を出力する場合、前記生体情報及び前記心電情報を出力した後、さらに前記医療情報を出力可能である場合、前記静止画情報を出力することを特徴とする請求項６に記載の医療情報集約出力装置。
【発明の詳細な説明】
【技術分野】
【０００１】
本発明は、医療情報を集約し、サーバに出力する医療情報集約出力装置に関する。
【背景技術】
【０００２】
近年、救急車等の緊急車両では、搬送する患者、負傷者等の対象者の生体データを含む各種情報を取得する機器が搭載されている。取得した情報を利用する方法として、取得した情報を病院の端末に出力する方法が提案されている（特許文献１、特許文献２参照）。特許文献１に記載のシステムは、医師からの指示に基づいて実行した処置内容、病院への報告内容を病院の端末に通信で出力している。特許文献１に記載のシステムは、電子トリアージタグに、各種情報を集約し、集約した情報を管制室の制御に基づいて、通信を介して、医療施設の端末に出力することが記載されている。
【先行技術文献】
【特許文献】
【０００３】
【特許文献１】特開２０１３−１５２６１３号公報
【特許文献２】特開２０１２−５８９６２号公報
【発明の概要】
【発明が解決しようとする課題】
【０００４】
特許文献１及び特許文献２に記載のシステムのように、医療情報を送信することで、円滑な医療行為を補助することができる。ここで、医療情報は、送信先の機器（サーバ）に送信できないと利用することができなくなり、医療行為の補助を十分に行うことができない。
【０００５】
本発明は、上記に鑑みてなされたものであって、必要な情報をより高い確率でサーバに供給することができる医療情報集約出力装置を提供することを目的とする。
【課題を解決するための手段】
【０００６】
上述した課題を解決し、目的を達成するために、本発明は、医療情報を送信する機器と接続する端子を有する通信ポートと、一般無線回線で通信を行う一般無線回線通信部と、前記一般無線回線よりも通信速度が遅い専用無線回線で通信を行う専用無線回線通信部と、前記通信ポートを介して取得した医療情報を処理する取得制御部と、前記取得制御部で処理した医療情報を、前記一般無線回線通信部または前記専用無線回線通信部を用いて、サーバに出力する出力制御部と、前記医療情報の種類と優先順位との関係を記憶した記憶部と、を有し、前記出力制御部は、前記専用無線回線通信部を用いて前記医療情報を出力する場合、前記医療情報から優先度の高い情報を抽出して出力し、前記一般無線回線通信部を用いて前記医療情報を出力する場合、全ての医療情報を出力することを特徴とする。
【０００７】
ここで、前記記憶部は、接続される機器と取得する情報のデータ形式との情報と、医療情報の種類毎に設定された標準フォーマットの情報と、を記憶しており、前記取得制御部は、前記接続される機器に応じて、取得した情報のデータ形式を標準フォーマットに変換することが好ましい。
【０００８】
また、前記取得制御部は、前記通信ポートで機器との接続を検出した場合、接続されている端子の種類に基づいて、接続されている機器の候補を特定し、候補の情報に基づいてプロトコルを設定して接続されている機器との通信の確立を行い、通信が確立されたプロトコルに基づいて接続されている機器を特定し、当該接続されている機器から取得する情報を特定することが好ましい。
【０００９】
また、衛星回線で通信を行う衛星回線通信部をさらに有し、前記出力制御部は、緊急時であると判定し、前記一般無線回線通信部での通信ができず、かつ、前記衛星回線通信部での通信が可能と判定した場合、前記衛星回線通信部を介して取得した医療情報を出力することが好ましい。
【００１０】
また、緊急時は、災害が発生した場合であることが好ましい。
【００１１】
また、前記医療情報は、生体情報、心電情報及び動画情報を含み、前記出力制御部は、前記専用無線回線通信部を用いて前記医療情報を出力する場合、前記生体情報及び前記心電情報を出力し、前記動画情報を出力しないことが好ましい。
【００１２】
また、前記医療情報は、静止画情報及び音声情報を含み、前記出力制御部は、前記専用無線回線通信部を用いて前記医療情報を出力する場合、前記生体情報及び前記心電情報を出力した後、さらに前記医療情報を出力可能である場合、前記静止画情報を出力することが好ましい。
【発明の効果】
【００１３】
本発明は、通信回線の状態に応じて、使用する回線を切換、かつ、送信する情報を選択することで、必要な情報を迅速に出力することができる。これにより、必要な情報をより高い確率でサーバに供給することができる。
【図面の簡単な説明】
【００１４】
【図１】図１は、医療情報通信システムの概略構成を示すブロック図である。
【図２】図２は、サーバの概略構成を示すブロック図である。
【図３】図３は、医療情報集約出力装置の概略構成を示すブロック図である。
【図４】図４は、取得用データテーブルに記憶されているデータの一例を示す説明図である。
【図５】図５は、出力用データテーブルに記憶されているデータの一例を示す説明図である。
【図６】図６は、出力用データテーブルに記憶されているデータの一例を示す説明図である。
【図７】図７は、補助集約出力装置の概略構成を示すブロック図である。
【図８】図８は、医療情報集約出力装置の動作を説明するためのフロー図である。
【図９】図９は、医療情報集約出力装置の動作を説明するためのフロー図である。
【図１０】図１０は、医療情報集約出力装置の動作を説明するためのフロー図である。
【図１１】図１１は、医療情報集約出力装置の動作を説明するためのフロー図である。
【図１２】図１２は、医療情報集約出力装置の動作を説明するためのフロー図である。
【図１３】図１３は、医療情報集約出力装置の動作を説明するためのフロー図である。
【図１４】図１４は、医療情報集約出力装置の動作を説明するためのフロー図である。
【発明を実施するための形態】
【００１５】
以下、本発明につき図面を参照しつつ詳細に説明する。なお、下記の発明を実施するための形態（以下、実施形態という）により本発明が限定されるものではない。また、下記実施形態における構成要素には、当業者が容易に想定できるもの、実質的に同一のもの、いわゆる均等の範囲のものが含まれる。さらに、下記実施形態で開示した構成要素は適宜組み合わせることが可能である。ここで、本実施形態の医療情報には、生体モニタデータ（バイタルデータ）、心電データ、医療行為のデータ、内視鏡等で撮影した静止画、動画等、医療行為に直接かかわる情報に加え、患者、負傷者や、医師、看護師等のやり取りの音声データ、周囲の動画、静止画、緊急車両の位置情報等、医療に関連する各種情報も含む。
【００１６】
以下に、本発明にかかる医療情報集約出力装置を含む医療情報通信システムの実施形態を図面に基づいて詳細に説明する。図１は、医療情報通信システムの概略構成を示すブロック図である。医療情報通信システム（以下「通信システム」。）１０は、緊急車両８に搭載された機器で取得した情報、または緊急車両８の周囲で取得した情報を、集約してサーバに出力することで、サーバに医療情報を蓄積するシステムである。緊急車両８は、救急車やドクターカーや消防車である。
【００１７】
通信システム１０は、衛星回線１２と、一般無線回線網１４と、専用無線回線網１６と、サーバ１８と、医療情報集約出力装置２０と、生体情報取得装置２２、２４と、医療機器２６と、医療関連情報取得装置２８と、補助集約出力装置３０と、を有する。なお、通信システム１０に含まれる各部は１つであっても複数であってもよい。
【００１８】
衛星回線１２は、衛星を介して通信を行う回線である。衛星回線１２としては、防災用で使用可能な衛星回線を用いることができる。一般無線回線網１４は、３Ｇ（第３世代移動通信システム）、ＬＴＥ（Long  Term  Evolution）、４Ｇ（第４世代移動通信システム）等、通信会社が構築している通信網である。専用無線回線網１６は、消防無線や防災無線等の特定の目的で構築された通信網である。専用無線回線網１６は、一般無線回線網１４よりも通信速度が低く、送信できるデータ量が小さくなる。専用無線回線網１６は、医療に関連する情報や、災害に関する情報を通信する各種専用無線回線網を用いることができる。
【００１９】
サーバ１８は、出力された情報を受信し、集約する装置である。サーバ１８は、データセンター等のデータの集約施設に配置されていても、病院等の医療行為を行う施設に配置されていてもよい。
【００２０】
図２は、サーバの概略構成を示すブロック図である。図２に示すように、サーバ１８は、衛星通信部４０と、一般無線回線通信部４２と、専用無線回線通信部４４と、制御部４６と、記憶部４８と、を有する。衛星通信部４０は、衛星回線１２を介して通信を行いデータの送受信を行う。一般無線回線通信部４２は、一般無線回線網１４を介して通信を行いデータの送受信を行う。専用無線回線通信部４４は、専用無線回線網１６を介して通信を行いデータの送受信を行う。制御部４６は、ＣＰＵ等の演算装置であり、衛星通信部４０と、一般無線回線通信部４２と、専用無線回線通信部４４との通信動作を制御する。制御部４６は、衛星通信部４０と、一般無線回線通信部４２と、専用無線回線通信部４４とで受信した情報を記憶部４８に記憶し、記憶部４８の情報を衛星通信部４０と、一般無線回線通信部４２と、専用無線回線通信部４４から送信する。記憶部４８は、衛星通信部４０と、一般無線回線通信部４２と、専用無線回線通信部４４とが外部の機器との通信で取得した情報、具体的には、医療情報を記憶する。
【００２１】
医療情報集約出力装置２０は、医療情報を取得し、集約して、サーバ１８に出力する。医療情報集約出力装置２０は、車載プロセッサであり、緊急車両８に搭載されている。医療情報集約出力装置２０には、生体情報取得装置２２、２４、医療機器２６、医療関連情報取得装置２８等、医療情報を取得する各種機器が接続されている。
【００２２】
まず、生体情報取得装置２２、２４、医療機器２６、医療関連情報取得装置２８について説明する。なお、生体情報取得装置２２、２４、医療機器２６、医療関連情報取得装置２８の図１に示す数は、一例であり数はこれに限定されない。また、医療情報集約出力装置２０は、生体情報取得装置２２、２４、医療機器２６、医療関連情報取得装置２８の全てが接続されている必要はなく、生体情報取得装置２２、２４、医療機器２６、医療関連情報取得装置２８のいずれかが接続されていなくてもよいし、生体情報取得装置２２、２４、医療機器２６、医療関連情報取得装置２８のいずれか１つのみが接続されていてもよい。
【００２３】
生体情報取得装置２２、２４は、緊急車両８で搬送したり、緊急車両８で医療行為を行ったりする対象である患者、負傷者の生体情報を取得する装置である。生体情報取得装置２２、２４は、脈拍、血圧、発汗等のバイタルを検出する生体モニタ、心臓の活動を検出する心電計、レントゲン装置、ＣＴ装置等が含まれる。
【００２４】
医療機器２６は、患者、負傷者に対して医療行為を行い、かつ、実行した医療行為の情報をデータで出力する機器であり、内視鏡、手術に利用される機器等が含まれる。
【００２５】
医療関連情報取得装置２８は、医療情報に関連する情報を取得する装置であり、音声を取得するマイク、緊急車両８の内部や周囲の静止画、動画を取得する撮影機器等が含まれる。
【００２６】
生体情報取得装置２２、２４、医療機器２６、医療関連情報取得装置２８は、医療情報集約出力装置２０に接続され、取得した情報を医療情報集約出力装置２０に送る。
【００２７】
次に、図３から図６を用いて、医療情報集約出力装置２０について説明する。図３は、医療情報集約出力装置の概略構成を示すブロック図である。図４は、取得用データテーブルに記憶されているデータの一例を示す説明図である。図５は、出力用データテーブルに記憶されているデータの一例を示す説明図である。図６は、出力用データテーブルに記憶されているデータの一例を示す説明図である。
【００２８】
医療情報集約出力装置２０は、図３に示すように、通信ポート６０と、衛星通信部６２と、一般無線回線通信部６４と、専用無線回線通信部６６と、外部メモリ用端子６８と、ＧＰＳ通信部６９と、入力部７０と、表示部７２と、制御部７４と、記憶部７６と、を有する。
【００２９】
通信ポート６０は、生体情報取得装置２２、２４、医療機器２６、医療関連情報取得装置２８と接続し、通信を確立する回線の一部であり、複数の接続端子６１を有する。接続端子６１は、電子機器と接続する複数種類の端子を有する。例えばＵＳＢ端子、ＲＳ−２３２Ｃ端子、ＨＤＭＩ（登録商標）端子、無線ＬＡＮ等を含む。通信ポート６０は、有線で生体情報取得装置２２、２４、医療機器２６、医療関連情報取得装置２８と接続してもよいし、無線で生体情報取得装置２２、２４、医療機器２６、医療関連情報取得装置２８と接続してもよい。
【００３０】
衛星通信部６２は、衛星回線１２を介して通信を行いデータの送受信を行う。一般無線回線通信部６４は、一般無線回線網１４を介して通信を行いデータの送受信を行う。専用無線回線通信部６６は、専用無線回線網１６を介して通信を行いデータの送受信を行う。外部メモリ用端子６８は、着脱可能な記録媒体が接続される端子である。外部メモリ用端子６８は、接続された記録媒体との間でデータの送受信を行い、記録媒体にデータを書き込み、記録媒体のデータを読み取る。ＧＰＳ通信部６９は、複数、例えば３つまたは４つのＧＰＳ衛星から出力される情報を受信し、位置情報を取得する。入力部７０は、スイッチ、キーボード、タッチパネル、マウス等の種々の入力デバイスである。表示部７２は、画像を表示させるデバイスであり、液晶モニタ等である。
【００３１】
制御部７４は、ＣＰＵ等の演算装置であり、取得制御部８０と、管理制御部８２と、出力制御部８４と、を有する。取得制御部８０は、通信ポート６０の接続端子６１を介して接続された生体情報取得装置２２、２４、医療機器２６、医療関連情報取得装置２８との通信状態を制御し、生体情報取得装置２２、２４、医療機器２６、医療関連情報取得装置２８から送信されるデータを取得する。また、取得制御部８０は、取得したデータをデータの種類、心電データ、バイタルデータ、動画、静止画、音声のいずれであるか等に応じて、それぞれの種類に対して設定した標準のフォーマットに変換する。
【００３２】
管理制御部８２は、医療情報集約出力装置２０の各部の動作を管理する。また、管理制御部８２は、取得制御部８０、出力制御部８４で処理を行うタイミングや、処理を行う対象のデータ等を管理する。また、管理制御部８２は、処理を実行する際の条件も管理する。
【００３３】
出力制御部８４は、衛星通信部６２と、一般無線回線通信部６４と、専用無線回線通信部６６との通信動作を制御する。出力制御部８４は、衛星通信部６２と、一般無線回線通信部６４と、専用無線回線通信部６６とのいずれを用いて、通信を行うかを選択し、選択した通信部を介してデータをサーバ１８に出力する。また、出力制御部８４は、通信の状態に応じて、送信するデータを加工する。
【００３４】
記憶部７６は、取得用データテーブル９０と、管理データ９２と、出力用データデーブル９４とバックアップデータ９６と、を記憶している。また、記憶部７６は、取得制御部８０、管理制御部８２、出力制御部８４の処理を実行するためのプログラムも記憶している。
【００３５】
取得用データテーブル９０は、取得制御部８０で実行する処理に用いる各種条件が記憶されている。取得用データテーブル９０は、例えば、図４に示すように、通信ポート６０に接続される機器と、接続可能な端子の種類と接続回数との関係を記憶している。また、取得用データテーブル９０は、接続される機器と通信を行うプロトコルの情報、取得できる医療情報の種類、フォーマットの情報も記憶している。
【００３６】
管理データ９２は、管理制御部８２で管理を実行するための各種データや、実行した処理の履歴が記憶されている。
【００３７】
出力用データデーブル９４は、出力制御部８４で実行する処理に用いる各種条件が記憶されている。出力用データテーブル９４は、図５に示すように、使用する通信回線の優先順位との関係や、図６に示すように、医療情報の種別と優先順位との関係を記憶している。本実施形態は、医療情報の優先順位が、生体情報（バイタルデータ）、心電情報（心電データ）、位置情報の優先順位が最も高く、外傷画像、内視鏡画像等の静止画情報の優先順位が次に高く、音声の優先順位が次に高く、外傷動画、内視鏡動画等の動画情報の優先順位が次に高い。上記優先順位とすることで、医療行為等を実行するためにより必要な情報の優先順位を高くすることができる。なお、医療情報の優先順位の設定は、これに限定されない。
【００３８】
バックアップデータ９６は、取得制御部８０による制御で取得した医療情報を一時的に記憶する。バックアップデータ９６は、削除の指示を検出するまで、記憶したデータを保存してもよいし、一定の条件を満たす毎、例えば起動処理の実行時に削除してもよい。医療情報集約出力装置２０の動作については、後述する。
【００３９】
補助集約出力装置３０は、サーバ１８へのデータの送信を補助する装置である。補助集約出力装置３０は、医療情報集約出力装置２０が無線通信で出力されなかったデータを外部メモリで取得し、サーバ１８に送信する装置である。
【００４０】
図７は、補助集約出力装置の概略構成を示すブロック図である。補助集約出力装置３０は、図７に示すように、外部メモリ用端子１０２と、一般無線回線通信部１０４と、入力部１０６と、表示部１０８と、制御部１１０と、記憶部１１２と、を有する。
【００４１】
外部メモリ用端子１０２は、着脱可能な記録媒体が接続される端子である。外部メモリ用端子１０２は、接続された記録媒体との間でデータの送受信を行い、記録媒体にデータを書き込み、記録媒体のデータを読み取る。一般無線回線通信部１０４は、一般無線回線網１４を介して通信を行いデータの送受信を行う。入力部１０６は、スイッチ、キーボード、タッチパネル、マウス等の種々の入力デバイスである。表示部１０８は、画像を表示させるデバイスであり、液晶モニタ等である。
【００４２】
制御部１１０は、ＣＰＵ等の演算装置であり、取得制御部１２０と、出力制御部１２４と、を有する。取得制御部１２０は、外部メモリ用端子１０２に接続された外部メモリに記憶された医療情報を取得する。また、取得制御部１２０は、取得したデータをデータの種類、心電データ、バイタルデータ、動画、静止画、音声のいずれであるか等に応じて、それぞれの種類に対して設定した標準のフォーマットに変換する。出力制御部１２４は、一般無線回線通信部１０４を用いて、取得制御部１２０が取得し、フォーマットを標準フォーマットにした医療情報をサーバ１８に出力する。
【００４３】
記憶部１１２は、取得用データテーブル１３０と、出力用データデーブル１３４と、を記憶している。また、記憶部１１２は、取得制御部１２０、出力制御部１２４の処理を実行するためのプログラムも記憶している。取得用データテーブル１３０と、出力用データデーブル１３４とは、取得用データテーブル９０と、出力用データデーブル９４と同様のデータである。
【００４４】
補助集約出力装置３０は、外部メモリを介して取得した医療情報、例えば、医療情報集約出力装置２０で送信されず外部メモリに保存された医療情報を取得し、標準フォーマットに変換し、サーバ１８に送信する。これにより、サーバ１８に保存される医療情報をより充実したデータとすることができる。またサーバ１８は、送信された情報に含まれる識別情報に基づいて、医療情報を関連付け、対応するデータを１つのユニットとして管理する。
【００４５】
次に、図８から図１４を用いて、医療情報集約出力装置２０の動作について説明する。  図８から図１４は、それぞれ医療情報集約出力装置の動作を説明するためのフロー図である。医療情報集約出力装置２０は、記憶部７６に記憶された情報に基づいて、制御部７４の取得制御部８０、管理制御部８２及び出力制御部８４で各種処理を実行することで、図８から図１４に示す処理を実行することができる。
【００４６】
まず、図８を用いて、通信ポート６０に接続される機器との接続確立時の処理について説明する。取得制御部８０は、通信ポート６０の巡視を行う（ステップＳ１２）。つまり、各接続端子６１の接続状態を検出する。取得制御部８０は、巡視を行ったら、新たに接続端子６１に接続された機器があるかを判定する（ステップＳ１４）。取得制御部８０は、新たに接続された機器がない（ステップＳ１４でＮｏ）と判定した場合、本処理を終了する。
【００４７】
取得制御部８０は、新たに接続された機器がある（ステップＳ１４でＹｅｓ）と判定した場合、機器が接続された接続端子６１を特定し、対象となる接続プロトコルを抽出する（ステップＳ１６）。具体的には、接続端子６１の種類に基づいて、接続される可能性がある機器を抽出し、抽出した機器に対応付けられている接続プロトコルを抽出する。
【００４８】
取得制御部８０は、接続プロトコルを抽出したら、抽出した機器の１つを特定し、特定した機器の接続に用いる接続プロトコルを対象の接続プロトコルとして選択し、通信の確立動作を実行し（ステップＳ１８）、通信が確立されたかを判定する（ステップＳ２０）。取得制御部８０は、通信が確立されない（ステップＳ２０でＮｏ）と判定した場合、通信の確立を実行した接続プロトコルの機器が接続されてないと判定して、ステップＳ１８に戻り、次の機器を特定し、接続プロトコルに基づいて通信の確立を実行する。
【００４９】
取得制御部８０は、通信が確立された（ステップＳ２０でＹｅｓ）と判定した場合、通信の確立を実行した接続プロトコルの機器が接続されていると判定して、接続されている機器を特定し、接続機器の接続回数をカウントアップし（ステップＳ２２）、本処理を終了する。
【００５０】
取得制御部８０は、このように、接続端子６１に機器が接続された場合、接続プロトコルを順次切り替えて、通信を確立できる接続プロトコルを検出することで、接続された機器を特定することができる。これにより、接続された機器から送信されるデータの種類やフォーマットも特定することができる。ここで、取得制御部８０は、ステップＳ１８で接続プロトコルを選択する場合、接続回数が多い機器から順に通信の確立を実行することが好ましい。これにより、接続される頻度が高い、つまり接続されている可能性が高い機器から順に判定することができ、短時間で通信を確立できる可能性を高くできる。
【００５１】
次に、図９を用いて、通信ポート６０に接続されている機器から送信されたデータを受信する処理の一例を説明する。取得制御部８０は、データを受信したかを判定する（ステップＳ３０）。取得制御部８０は、データを受信していない（ステップＳ３０でＮｏ）と判定した場合、本処理を終了する。
【００５２】
取得制御部８０は、データを受信した（ステップＳ３０でＹｅｓ）と判定した場合、データを出力した機器に基づいて、受信データの種別を特定し（ステップＳ３２）、受信したデータを標準フォーマットに変換し（ステップＳ３４）、変換したデータをバックアップデータ９６に保存する（ステップＳ３６）。つまり、通信の確立時に特定した機器の情報に基づいて、送信される医療情報の種類とフォーマットを特定し、送信された医療情報を標準のフォーマットに変換する。ここで、標準のフォーマットは、ＨＬ７（Health  Level  Seven）の規格に基づいて、医療情報の種類ごとに設定されている。
【００５３】
取得制御部８０は、受信したデータを標準フォーマットに変換することで、通信ポート６０に接続されている機器から送信された情報を、医療情報の種類毎に統一したフォーマットとすることができる。これにより、サーバ１８に送られるデータの種類を予め設定した医療情報の種類の数とすることができ、サーバ１８で管理しやすい情報とすることができる。
【００５４】
次に、図１０から図１４を用いて、出力制御部８０で実行するデータの送信する処理の一例を説明する。図１０は、出力制御部８４で、実行する処理のモードを確認する処理である。出力制御部８４は、設定を検出し（ステップＳ４０）、通常モードであるかを判定する（ステップＳ４２）。なお、設定は、ユーザが入力して設定してもよいし、医療情報の通信を管理するサーバ等が統一して管理し、各医療情報集約出力装置２０に出力するようにしてもよい。
【００５５】
出力制御部８４は、通常モードである（ステップＳ４２でＹｅｓ）と判定した場合、通常モードで処理を実行し（ステップＳ４４）、通常モードではない（ステップＳ４２でＮｏ）と判定した場合、災害モードで処理を実行する（ステップＳ４６）。災害モードとは、地震等の大規模な自然災害が発生した場合に選択されるモードである。なお、災害モードに変えて、何らかの緊急状態で設定される緊急モードとしてもよい。
【００５６】
次に、図１１を用いて、通常モードの処理の一例について説明する。出力制御部８４は、送信対象データを抽出し（ステップＳ５０）、一般無線回線使用モードであるかを判定する（ステップＳ５２）。出力制御部８４は、例えば、ユーザの設定や、一般無線回線の電波状態に基づいて、一般無線回線使用モードであるかを判定する。出力制御部８４は、一般無線回線での通信が可能である場合、一般無線回線使用モードであると判定する。
【００５７】
出力制御部８４は、一般無線回線使用モードである（ステップＳ５２でＹｅｓ）と判定した場合、一般無線回線ですべての送信対象データを送信し（ステップＳ５４）、本処理を終了する。つまり、一般無線回線通信部６４を用いて、データを出力する。
【００５８】
出力制御部８４は、一般無線回線使用モードではない（ステップＳ５２でＮｏ）と判定した場合、送信対象データから優先順位が１位の情報を抽出し（ステップＳ５６）、専用回線網で抽出した情報を出力し（ステップＳ５８）、本処理を終了する。つまり、専用無線回線通信部６６を用いて、抽出した優先順位が１位のデータを出力する。
【００５９】
このように、出力制御部８４は、一般無線回線網１４を用いて通信を行わず、通信速度が遅い専用無線通信網１６を用いて通信を行う場合、送信対象のデータを優先順位に基づいて抽出し、送信を行うことで、必要な情報を迅速に送信することができる。つまり、医療情報集約出力装置２０は、使用可能な通信回線を選択し、さらに、回線に応じて、送信する情報を選定することで、必要な情報をより的確に送信することができる。
【００６０】
また、出力制御部８４は、強制送信の設定がある場合、専用回線網を用いて、優先順位が２位以下の情報も送信するようにしてもよい。図１２を用いて、処理の一例を説明する。出力制御部８４は、強制送信指示を検出したら（ステップＳ６０）、送信対象データから優先順位が２位の情報を抽出し、送信する（ステップＳ６２）。
【００６１】
出力制御部８４は、優先順位が２位のデータを送信したら、送信対象データから優先順位が３位の情報を抽出し、送信する（ステップＳ６４）。出力制御部８４は、優先順位が３位のデータを送信したら、送信対象データの動画データを加工し、データ量を減少させ（ステップＳ６８）、加工した動画データを出力し（ステップＳ６９）、本処理を終了する。ここで、動画に実行する加工としては、動画の１画面を抽出し静止画に変換する処理や、動画のフレームレートを低減する処理がある。
【００６２】
出力制御部８４は、このように、優先順位に基づいて順次、データを出力することで、必要なデータから順番にサーバ１８に送信することができる。これにより、必要なデータを迅速に送信することができる。また、上記実施形態では、全てのデータを順次送信する設定としたが、送信するデータは設定や通信状態に応じて制御すればよい。
【００６３】
次に、図１３及び図１４を用いて、災害モードの処理について説明する。出力制御部８４は、災害モードの場合、一般無線回線が使用可能かを判定する（ステップＳ７０）。出力制御部８４は、例えば、一般無線回線通信部６４を用いて、一般無線回線網１４の通信状態を検出し判定する。出力制御部８４は、一般無線回線が使用可能である（ステップＳ７０でＹｅｓ）と判定した場合、一般無線回線でデータを送信する（ステップＳ７２）。
【００６４】
出力制御部８４は、一般無線回線が使用可能ではない（ステップＳ７０でＮｏ）を判定した場合、衛星回線が使用可能かを判定する（ステップＳ７４）。出力制御部８４は、衛星回線が使用可能である（ステップＳ７４でＹｅｓ）と判定した場合、衛星回線でデータを送信する（ステップＳ７６）。出力制御部８４は、衛星回線が使用可能ではない（ステップＳ７４でＮｏ）を判定した場合、専用無線回線でデータを送信する（ステップＳ７８）。
【００６５】
次に、図１４を用いて、出力制御部８４がステップＳ７２、ステップＳ７６及びステップＳ７８で実行する処理の一例について説明する。
【００６６】
出力制御部８４は、送信対象データを抽出し（ステップＳ８０）、送信対象データから優先順位が１位の情報を抽出し、送信する（ステップＳ８２）。出力制御部８４は、優先順位が１位の情報を送信したら、回線使用可能か、つまり使用している回線でさらにデータを送信できる状況かを判定する（ステップＳ８４）。
【００６７】
出力制御部８４は、回線が使用可能ではない（ステップＳ８４でＮｏ）と判定した場合、ステップＳ９９に進む。出力制御部８４は、回線が使用可能である（ステップＳ８４でＹｅｓ）と判定した場合、送信対象データから優先順位が２位の情報を抽出し、送信する（ステップＳ８６）。
【００６８】
出力制御部８４は、優先順位が２位の情報を送信したら、回線使用可能かを判定する（ステップＳ８８）。出力制御部８４は、回線が使用可能ではない（ステップＳ８８でＮｏ）と判定した場合、ステップＳ９９に進む。出力制御部８４は、回線が使用可能である（ステップＳ８８でＹｅｓ）と判定した場合、送信対象データから優先順位が３位の情報を抽出し、送信する（ステップＳ９０）。
【００６９】
出力制御部８４は、優先順位が３位の情報を送信したら、回線使用可能かを判定する（ステップＳ９２）。出力制御部８４は、回線が使用可能ではない（ステップＳ９２でＮｏ）と判定した場合、ステップＳ９９に進む。出力制御部８４は、回線が使用可能である（ステップＳ９２でＹｅｓ）と判定した場合、送信対象データの動画データを加工し、データ量を減少させ（ステップＳ９４）、加工した動画データを出力する（ステップＳ９６）。
【００７０】
出力制御部８４は、加工した動画データの情報を送信したら、回線使用可能かを判定する（ステップＳ９７）。出力制御部８４は、回線が使用可能ではない（ステップＳ９７でＮｏ）と判定した場合、ステップＳ９９に進む。出力制御部８４は、回線が使用可能である（ステップＳ９７でＹｅｓ）と判定した場合、残っている送信対象データ、つまり加工していない優先順位が４位のデータを送信し（ステップＳ９８）、本処理を終了する。
【００７１】
出力制御部８４は、ステップＳ８４、ステップＳ８８、ステップＳ９２、ステップＳ９７でＮｏと判定した場合、送信していないデータをバックアップデータ９６に保存する。さらに、出力制御部８４は、外部メモリにバックアップデータ９６のデータを保存してもよい。
【００７２】
医療情報集約出力装置２０は、災害発生時は、衛星回線も利用することで、より確実に医療情報を送信することができる。また、医療情報集約出力装置２０は、図１４に示すように通信状態に応じて、送信するデータを選択し、かつ、優先順位が高いデータから順番に送信することで、必要なデータを迅速にサーバ１８に送ることができる。
【００７３】
なお、上記実施形態では、医療情報集約出力装置２０を緊急車両８に搭載した場合として説明したが、これに限定されない。医療情報集約出力装置２０は、家屋や各種施設に設置してもよい。
【符号の説明】
【００７４】
８  緊急車両
１０  医療情報通信システム
１２  衛星回線
１４  一般無線回線網
１６  専用無線回線網
１８  サーバ
２０  医療情報集約出力装置
２２、２４  生体情報取得装置
２６  医療機器
２８  医療関連情報取得装置
３０  補助集約出力装置
４０、６２  衛星通信部
４２、６４、１０４  一般無線回線通信部
４４、６６  専用無線回線通信部
４６  制御部
４８  記憶部
６０  通信ポート
６１  接続端子
６８、１０２  外部メモリ用端子
７０、１０６  入力部
７２、１０８  表示部
７４、１１０  制御部
７６、１１２  記憶部
８０、１２０  取得制御部
８２  管理制御部
８４、１２４  出力制御部
９０、１３０  取得用データテーブル
９２  管理データ
９４、１３４  出力用データテーブル
９６  バックアップデータ
【図１】
2015191377.tif 000003
【図２】
2015191377.tif 000004
【図３】
2015191377.tif 000005
【図４】
2015191377.tif 000006
【図５】
2015191377.tif 000007
【図６】
2015191377.tif 000008
【図７】
2015191377.tif 000009
【図８】
2015191377.tif 000010
【図９】
2015191377.tif 000011
【図１０】
2015191377.tif 000012
【図１１】
2015191377.tif 000013
【図１２】
2015191377.tif 000014
【図１３】
2015191377.tif 000015
【図１４】
2015191377.tif 000016